(57)【要約】【課題】本発明は、携行中に落下させるなど、外部から加わる衝撃を表示装置に直接伝えない構造を有する電子機器を提供する。【解決手段】ポータブルコンピュータ（電子機器）１は、表示カバー３１とリブ３２と弾性部材７１，７２，８１，８２と表示マスク３３とを具備する表示パネル３を有する。表示カバー３１は、表示装置６の非表示面６ｂを覆うとともに、外周壁３１ａと底壁３１ｂとを有する。リブ３２は、表示装置６の外周縁６ｃと外周壁３１ａとの間において外周壁３１ａから離れた位置に底壁３１ｂから立ち上がる。弾性部材７１，７２，８１，８２は、表示装置６の外周縁６ｃに面したリブ３２の内面および底壁３１ｂの内面の少なくとも一方に取り付けられて表示装置６を保持する。表示マスク３３は、表示装置６の表示面６ａを露出させた状態で表示カバー３１に固定される。【選択図】      図２
2006099242.tif 000002
【特許請求の範囲】
【請求項１】
本体とヒンジで連結されて表示装置を内蔵する表示パネルを有し、
前記表示パネルは、
前記表示装置の非表示面を覆うとともに、底壁と外周壁とを有する表示カバーと、
前記表示装置の外周縁と前記外周壁との間において前記外周壁から離間して前記底壁から立ち上がるリブと、
前記表示装置の外周縁に面した前記リブの内面および前記底壁の内面の少なくとも一方に取り付けられて前記表示装置を保持する弾性部材と、
前記表示装置の表示面を露出した状態で前記表示カバーに固定される表示マスクと、
を具備することを特徴とする電子機器。
【請求項２】
前記弾性部材は、
定常状態で前記表示装置との当接面を維持し、表示パネルに衝撃が加わったときに扁平して前記表示装置に伝わる荷重を減衰させる衝撃吸収材と、
定常状態で扁平して前記表示パネル内における前記表示装置を所定の位置に位置決めする緩衝材と、
を含むことを特徴とする請求項１に記載の電子機器。
【請求項３】
前記弾性部材は、
前記表示装置の非表示面に当接する第１の衝撃吸収材と、
前記表示面を横切る方向に沿って当接面を有して前記表示装置の外周縁に面した前記リブの内壁に取り付けられる第２の衝撃吸収材と、
前記表示パネルに内蔵された状態の前記表示装置の外形よりも前記非表示面から内側に入り込む位置に当接面を配置する復元力を有する第１の緩衝材と、
前記表示パネルに内蔵された状態の前記表示装置の外形よりも前記外周縁から前記表示面に沿う方向に内側に入り込む位置に当接面を配置する復元力を有する第２の緩衝材と、
を含むことを特徴とする請求項１に記載の電子機器。
【請求項４】
前記表示装置の外周縁の形状は、四角形であって、
前記四角形の対辺に相当する前記表示装置の対面に沿って配置される前記第２の衝撃吸収材の当接面の間の距離は、前記表示装置の外周縁の対面間距離に対して製造寸法公差の最大値よりも離れた位置に設けられることを特徴とする請求項３に記載の電子機器。
【請求項５】
前記第２の緩衝材は、この当接面から前記表示装置の外周縁よりも外側に前記表示カバーから離れる方向へ向かって拡開する斜面を有する案内部材を備えることを特徴とする請求項３に記載の電子機器。
【請求項６】
前記表示装置の外周縁の形状は、四角形であって、
前記第２の緩衝材は、前記四角形の隣り合う二辺に沿って配置されることを特徴とする請求項３に記載の電子機器。
【請求項７】
前記リブは、前記表示装置と反対側に延びる補強リブを有することを特徴とする請求項１に記載の電子機器。
【請求項８】
前記弾性部材は、複数箇所に分かれて断続的に配置されることを特徴とする請求項１に記載の電子機器。
【発明の詳細な説明】
【技術分野】
【０００１】
本発明は、ディスプレイに対する衝撃の緩和について配慮した電子機器に関する。
【背景技術】
【０００２】
液晶表示装置を備える携帯型パーソナルコンピュータを一例とする電子機器が特許文献１に開示されている。この電子機器において、液晶表示装置は、表示部に収納され固定されている。また、外力による衝撃や外殻の変形から保護するために、液晶表示装置は、高密度のゴムやゲルで構成される弾性体によって包囲されている。
【特許文献１】特開２０００−１０５６２８号公報
【発明の開示】
【発明が解決しようとする課題】
【０００３】
しかしながら、液晶表示装置を表示部に固定する場合、液晶表示装置は、外縁に設けられる実装補助用板金を介してネジ止めされる。そのため、携行中に落下させるなどによる高い衝撃が表示部に加わると、表示部に設けられたネジ止め固定部から実装補助用板金を伝播して液晶表示装置に直に衝撃が加わる。衝撃が加わる方向によっては、ネジ止め固定部を基点に液晶表示装置が破損し、表示機能に障害をきたす可能性がある。
【０００４】
そこで、本発明は、携行中に落下させるなど、外部から加わる衝撃を表示装置に直接伝えない構造を有する電子機器を提供する。
【課題を解決するための手段】
【０００５】
本発明に係る電子機器は、本体とヒンジで連結されて表示装置を内蔵する表示パネルを有している。この表示パネルは、表示カバーとリブと弾性部材と表示マスクとを具備する。表示カバーは、表示装置の非表示面を覆うとともに、底壁と外周壁とを有する。リブは、表示装置の外周縁と表示カバーの外周壁との間において外周壁から離間して底壁から立ち上がる。弾性部材は、表示装置の外周縁に面したリブの内面および底壁の内面の少なくとも一方に取り付けられて表示装置を保持する。表示マスクは、表示装置の表示面を露出させた状態で表示カバーに固定される。
【発明の効果】
【０００６】
電子機器は、表示装置が弾性部材によって保持されているので、携行中に落下させるなどの衝撃が外部から加わっても、直に表示装置に衝撃が伝播されることが無い。
【発明を実施するための最良の形態】
【０００７】
本発明に係る位置実施形態の電子機器について、ポータブルコンピュータ１を例に図１から図９を参照して説明する。ポータブルコンピュータ１は、本体２と表示パネル３とを有している。表示パネル３は、本体２にヒンジ４で連結されており、本体２に重なる位置から本体２に対して立て起された位置まで回動する。
【０００８】
本体２の上面には、入力操作するためのキー５ａが配置されたキーボード５が設けられている。表示パネル３は、図１に示すように本体２に対して立て起された（開かれた）状態で、キーボード５に面して表示面６ａを向けた表示装置６を内蔵している。表示装置６は、平坦で外形形状が四角形であり、例えば、ガラス基板とバックライト用の導光板とが重ね合された液晶ディスプレイである。図２に示すように表示装置６にはバックライト用の冷陰極管を点灯させるインバータ６０が接続されている。このインバータ６０は、表示装置６とともに表示パネル３に収納される。なお、表示装置６は、プラズマディスプレイ、有機エレクトリックルミネッセンスディスプレイ、表面電界ディスプレイなどであっても良い。
【０００９】
表示パネル３は、図２に示すように表示カバー３１と表示装置６とリブ３２と弾性部材と表示マスク３３とを含む。表示カバー３１は、表示装置６の非表示面６ｂを覆う外周壁３１ａと底壁３１ｂとを有している。リブ３２は、表示装置６の外周縁６ｃと表示カバー３１の外周壁３１ａとの間において、外周壁３１ａから離れた位置に、表示装置６の表示面６ａを横切る方向に表示カバー３１の底壁３１ｂから立ち上がっている。また、リブ３２は、表示装置６の外周縁６ｃに面した側と反対側に延びる補強リブ３２ａを備える。
【００１０】
弾性部材は、衝撃吸収材と緩衝材との２種類が用いられる。衝撃吸収材は、ポータブルコンピュータ１が使用されている定常状態において、表示装置６との当接面を維持する剛性を有し、表示パネルに衝撃が加わると表示装置６に伝播されないように扁平して、この衝撃を吸収する十分な減衰率を有した部材が用いられる。緩衝材は、定常状態で扁平して表示パネル内における表示装置６を所定の位置に位置決めする柔軟性および弾性を有している部材が用いられる。衝撃吸収材は、第１の衝撃吸収材７１と第２の衝撃吸収材７２とで構成され、緩衝材は、第１の緩衝材８１と第２の緩衝材８２とで構成される。
【００１１】
第１の衝撃吸収材７１は、表示装置６の外周縁６ｃ寄りの底壁３１ｂの内面に取り付けられ、表示装置６の非表示面６ｂに当接する。第２の衝撃吸収材７２は、表示装置６の表示面６ａを横切る方向に当接面を有し、表示装置６の外周縁６ｃに面したリブ３２の内面に取り付けられている。
【００１２】
四角形のそれぞれ対辺の関係に相当する表示装置６の２組の対面となる縁６Ｕと６Ｄ、６Ｌと６Ｒに沿って配置されるリブ３２に取り付けられた第２の衝撃吸収材７２の当接面の間の距離は、表示装置６の外周縁６ｃの対面間距離に対して製造寸法公差の最大値よりも離れた位置に設けられる。つまり、表示装置６は、第２の衝撃吸収材７２の間に隙間を有して収まる。
【００１３】
第１の緩衝材８１は、表示装置６の外周縁６ｃ寄りの底壁３１ｂの内面に取り付けられている。第１の緩衝材８１は、表示パネル３に内蔵された状態の表示装置６の外形よりも非表示面６ｂから内側に入り込む位置に当接面を配置する復元力を有している。つまり、表示装置６は、第１の緩衝材８１によって表示カバー３１から押出される方向に付勢される。第２の緩衝材８２は、四角形の隣り合う二辺となる表示装置６の外周縁６ｃに沿って配置されたリブ３２の内面に取り付けられている。具体的には、表示パネル３が開かれた状態で上側となる縁６Ｕと、表示面６ａから見て右側の縁６Ｒとに沿って２つずつ配置される。第２の緩衝材８２は、表示パネル３に内蔵された状態の表示装置６の外形よりも外周縁６ｃから表示面６ａに沿う方向に内側に入り込む位置に当接面を配置する復元力を有している。この結果、表示装置６は、表示面６ａ側から見て左下に向かって付勢された状態となる。
【００１４】
表示装置６の外周縁６ｃに接する第２の緩衝材８２の当接面には、案内部材８３が取り付けられている。案内部材８３は、第２の緩衝材８２の当接面から表示装置６の外周縁６ｃよりも外側へ、表示カバー３１から離れる方向へ向かって拡開する斜面８３ａを有している。この案内部材８３は、表示装置６を表示カバー３１に組み込む際に、第２の緩衝材８２が表示装置６に巻き込まれ無いようにするためのもので、表示装置６の外周縁６ｃの位置まで第２の緩衝材８２を押し広げる案内をする。この案内部材８３を備えることで、表示装置６の装着作業が円滑に行われるようになる。
【００１５】
表示装置６とこれに接続されたインバータ６０が表示カバー３１に収められた後、表示面６ａ側から表示マスク３３が取り付けられる。この表示マスク３３は、表示カバー３１の外周壁３１ａに沿って係合部３３ａを有しており、表示カバー３１に固定される。この結果、表示マスク３３は、第１の緩衝材８１の復元力に抗って表示装置６の表示面６ａの縁を表示カバー３１に向かって押える。表示装置６は、がたつくことなく表示パネル３内に保持される。表示マスク３３は、さらに、リブ３２と離れた位置で、表示カバー３１にビス止めされる。
【００１６】
衝撃吸収材に用いられる具体的な部材としては、反発係数としてのショアー硬さ３０前後、また、押し込み硬さとしてのショアーＡ硬さで、２５〜４５程度のウレタンゴムや、シリコーンゴム等が好ましい。緩衝材に用いられる具体的な材料としては、定常状態において表示装置を教示パネル内にがたつき無く押さえ込む十分な復元力を備えていれば良く、例えば、スポンジや、発砲ウレタンなどを使用することが好ましい。
【００１７】
また、これらの弾性部材は、表示装置６への衝撃を吸収するため、あるいは、表示装置６を保持するために必要となる断面積を有していればよいので、複数箇所に分かれて断続的に配置されている。表示装置６の外周縁６ｃ部に沿う方向の長さおよび表示面６ａに沿う方向の幅は、必要な接触面積を確保するために、適宜変更される。また、本実施形態で示した衝撃吸収材および緩衝材の反発率、減衰率、硬さなどの特性は、一例である。したがって、これらの弾性部材は、表示装置６の大きさや重さに応じて適正なものが選定されるものである。
【００１８】
以上のように構成された、ポータブルコンピュータ１は、表示装置６が表示パネル３内で弾性部材（第１の衝撃吸収材７１、第２の衝撃吸収材７２、第１の緩衝材８１、第２の緩衝材８２）によって保持されている。この場合、第１の衝撃吸収材７１が表示面６ａを横切る面外方向の荷重を受け、第２の衝撃吸収材７２が表示面６ａに沿う面内方向の荷重を受ける。第１の緩衝材は８１は、表示装置６を表示マスク３３とで挟んで面外方向のずれを押え、第２の緩衝材８２は、表示装置６を挟んで反対側に配置された第２の衝撃吸収材７２に表示装置６を押し当てて面内方向のずれを押える。
【００１９】
また、表示面６ａに沿う方向の衝撃を吸収する第２の衝撃吸収材７２が、表示カバー３１の外周壁３１ａから離して設けられたリブ３２によって支持されている。そのため、表示パネル３の外周からの衝撃が、直接的に表示パネル３を保持するリブ３２に伝わらない。したがって、携行中に誤ってぶつけたり落下させたりした場合にも、衝撃が表示装置６に直接入力されることが無い。
【００２０】
特に、ポータブルコンピュータ１は、本体２に表示パネル３を重ね合わせた（閉じた）状態で携行されることが多い。このような状態で、ぶつけたり落としたりする場合、表示カバー３１の底壁３１ｂ側からよりも表示パネル３の外周壁３１ａ側から衝撃を受けることが多い。つまり、表示装置６には、表示面６ａを横切る面外方向の衝撃よりも、表示面６ａに沿う面内方向の衝撃が加わることが多い。表示面６ａに沿う方向（面内方向）の衝撃は、表示装置６が大きくなるほどその重量が加わるので、大きくなる。
【００２１】
ポータブルコンピュータ１の表示装置６は、弾性部材（第１の衝撃吸収材７１、第２の衝撃吸収材７２、第１の緩衝材８１、第２の緩衝材８２）によって保持されていることで、衝撃が加わった場合にも表示パネル３の内部でずれることができる。したがって、その衝撃は、いなされ、表示装置６は、破損から免れる。
【００２２】
なお、電子機器として、ポータブルコンピュータ１を一例に説明したが、表示装置６を備える電子機器、例えば、携帯電話やパーソナルデジタルアシスタント（ＰＤＡ）、デジタルカメラ、デジタルビデオカメラといった表示装置を備える電子機器に本発明に係る表示装置の保持構造を適用しても良い。また、表示装置の代わりに精細な駆動部を備える記憶装置などの保持構造に、本実施形態において表示装置を保持した構造を適用することも有効である。
【図面の簡単な説明】
【００２３】
【図１】本発明に係る位置実施形態の電子機器を示す斜視図。
【図２】図１に示した表示パネルの分解斜視図。
【図３】図２に示したＦ３−Ｆ３に沿う表示パネルの断面図。
【図４】図３に示した表示パネルを分解した断面図。
【図５】図２に示したＦ５−Ｆ５に沿う表示パネルの断面図。
【図６】図５に示した表示パネルを分解した断面図。
【図７】図２に示したＦ７−Ｆ７に沿う表示パネルの断面図。
【図８】図２に示した表示カバーのＦ８部分の斜視図。
【図９】図２に示した表示カバーのＦ９部分の斜視図。
【符号の説明】
【００２４】
１…ポータブルコンピュータ、２…本体、３…表示パネル、４…ヒンジ、６…表示装置、６ａ…表示面、６ｂ…非表示面、６ｃ…外周縁、６ｕ…縁、６ｒ…縁、３１…表示カバー、３１ａ…外周壁、３１ｂ…底壁、３２…リブ、３２ａ…補強リブ、３３…表示マスク、７１…第１の衝撃吸収材（弾性部材）、７２…第２の衝撃吸収材（弾性部材）、８１…第１の緩衝材（弾性部材）、８２…第２の緩衝材（弾性部材）、８３…案内部材、８３ａ…斜面。
【図１】
2006099242.tif 000003
【図２】
2006099242.tif 000004
【図３】
2006099242.tif 000005
【図４】
2006099242.tif 000006
【図５】
2006099242.tif 000007
【図６】
2006099242.tif 000008
【図７】
2006099242.tif 000009
【図８】
2006099242.tif 000010
【図９】
2006099242.tif 000011